(57)【要約】【課題】直近に消費電力が大きく変動した負荷機器、および、その変動量を即座に把握する。【解決手段】本発明に係る電力管理装置１４は、複数の負荷機器２５の消費電力データを収集するデータ収集部１６と、消費電力データを用いて、負荷機器２５毎の消費電力をリストで表示させるための表示用データを生成する制御部１７とを備え、制御部１７は、負荷機器２５毎に現時点の消費電力と所定の時間前の消費電力との変動量を算出し、当該変動量をリストに含めて表示用データを生成する。【選択図】図１
2015001913.tif 000002
【特許請求の範囲】
【請求項１】
複数の負荷機器の消費電力データを収集するデータ収集部と、
前記消費電力データを用いて、前記負荷機器毎の消費電力をリストで表示させるための表示用データを生成する制御部とを備え、
前記制御部は、前記負荷機器毎に現時点の消費電力と所定の時間前の消費電力との変動量を算出し、当該変動量を前記リストに含めて前記表示用データを生成することを特徴とする電力管理装置。
【請求項２】
請求項１に記載の電力管理装置において、前記制御部は、前記変動量の大きい前記負荷機器を前記リストの上位に表示させるように前記表示用データを生成することを特徴とする電力管理装置。
【請求項３】
請求項２に記載の電力管理装置において、前記制御部は、前記リストの上位に表示させる前記負荷機器を強調表示させるように前記表示用データを生成することを特徴とする電力管理装置。
【請求項４】
請求項２または３に記載の電力管理装置において、前記制御部は、前記リストの上位に表示させる前記負荷機器に、当該負荷機器の消費電力履歴のグラフへのリンクを設定することを特徴とする電力管理装置。
【請求項５】
請求項２乃至４のいずれか一項に記載の電力管理装置において、
前記各負荷機器について、制御優先度を記憶する記憶部をさらに備え、
前記制御部は、前記制御優先度を参照し、所定の条件に該当する負荷機器については、前記変動量が大きくとも前記リストの上位に表示させないように前記表示用データを生成することを特徴とする電力管理装置。
【請求項６】
請求項５に記載の電力管理装置において、
前記制御優先度は、制御の困難さの程度を示す値であり、
前記制御部は、前記制御優先度を参照し、制御が困難な負荷機器を前記所定の条件に該当する負荷機器として判定することを特徴とする電力管理装置。
【請求項７】
請求項２乃至６のいずれか一項に記載の電力管理装置において、
前記データ収集部は、さらに、環境情報および前記各負荷機器のステータスを収集し、
前記制御部は、前記リストの上位に表示させる前記負荷機器の前記変動量が大きい要因を前記環境情報および前記各負荷機器のステータスに基づいて解析し、解析した前記要因を前記リストに表示させるように前記表示用データを生成することを特徴とする電力管理装置。
【請求項８】
複数の負荷機器の消費電力データを収集するステップと、
前記負荷機器毎に現時点の消費電力と所定の時間前の消費電力との差分である変動量を算出するステップと、
前記負荷機器毎の前記消費電力データおよび前記変動量をリストで表示させるための表示用データを生成するステップと
を含むことを特徴とする電力管理方法。
【請求項９】
複数の負荷機器の消費電力データを収集して管理する装置の制御部に、
各負荷機器の消費電力データを収集する工程と、
前記負荷機器毎に現時点の消費電力と所定の時間前の消費電力との差分である変動量を算出する工程と、
前記負荷機器毎の前記消費電力データおよび前記変動量をリストで表示させるための表示用データを生成する工程と
を実行させることを特徴とする電力管理プログラム。
【発明の詳細な説明】
【技術分野】
【０００１】
本発明は、負荷機器毎の消費電力を管理する電力管理装置、電力管理方法および電力管理プログラムに関するものである。
【背景技術】
【０００２】
近年、家庭、店舗および工場などの施設において、ＥＭＳ（Energy Management System）と呼ばれるエネルギー管理システムが導入されつつある。ＥＭＳは、負荷機器の消費電力情報を様々な形で表示させることが可能なシステムであり、消費電力の履歴情報と他の情報とを組み合わせて、各負荷機器の消費電力の変動要因を分析する方法がいくつか提案されている。
【０００３】
例えば、特許文献１は、エネルギー消費量を変動させる要因を予め発生日と共に入力しておき、エネルギー消費量のグラフと共に、入力した変動要因を表示することによって、エネルギー消費量の変化と変動要因を確認するシステムを提案している。
【０００４】
また、特許文献２は、エネルギー消費量データを解析し、解析結果に応じたエネルギー管理情報をユーザに報知することによって、どの管理項目についてエネルギー消費行動を見直せばよいのかをユーザに把握させるシステムを提案している。
【先行技術文献】
【特許文献】
【０００５】
【特許文献１】特開２００５−６３３８３号公報
【特許文献２】特開２０１２−１２３４７８号公報
【発明の概要】
【発明が解決しようとする課題】
【０００６】
しかしながら、特許文献１が開示する発明は、予めユーザが入力しておいた消費電力の変化の要因と、エネルギー消費量のグラフとを後から比較することによって、変動要因を確認するものであり、リアルタイムで、負荷機器毎の直近の消費電力変動を把握したり、その要因を確認したりするものではない。
【０００７】
また、特許文献２が開示する発明は、エネルギー消費の削減に有効な行動をユーザに提示するまでにある程度長期の時間を要するものであり、ユーザは、エネルギー消費の変動とその要因を即座に把握して、対策を講じることはできない。
【０００８】
したがって、かかる点に鑑みてなされた本発明の目的は、直近に消費電力が大きく変動した負荷機器、および、その変動量を即座に把握することができる電力管理装置、電力管理方法および電力管理プログラムを提供することにある。
【課題を解決するための手段】
【０００９】
上記課題を解決するため、本発明に係る電力管理装置は、複数の負荷機器の消費電力データを収集するデータ収集部と、前記消費電力データを用いて、前記負荷機器毎の消費電力をリストで表示させるための表示用データを生成する制御部とを備え、前記制御部は、前記負荷機器毎に現時点の消費電力と所定の時間前の消費電力との変動量を算出し、当該変動量を前記リストに含めて前記表示用データを生成することを特徴とする。
【００１０】
また、本発明に係る電力管理装置において、前記変動量の大きい前記負荷機器を前記リストの上位に表示させるように前記表示用データを生成することが好ましい。
【００１１】
また、本発明に係る電力管理装置において、前記制御部は、前記リストの上位に表示させる前記負荷機器を強調表示させるように前記表示用データを生成することが好ましい。
【００１２】
また、本発明に係る電力管理装置において、前記制御部は、前記リストの上位に表示させる前記負荷機器に、当該負荷機器の消費電力履歴のグラフへのリンクを設定することが好ましい。
【００１３】
また、本発明に係る電力管理装置において、前記各負荷機器について、制御優先度を記憶する記憶部をさらに備え、前記制御部は、前記制御優先度を参照し、所定の条件に該当する負荷機器については、前記変動量が大きくとも前記リストの上位に表示させないように前記表示用データを生成することが好ましい。
【００１４】
また、本発明に係る電力管理装置において、前記制御優先度は、制御の困難さの程度を示す値であり、前記制御部は、前記制御優先度を参照し、制御が困難な負荷機器を前記所定の条件に該当する負荷機器として判定することが好ましい。
【００１５】
また、本発明に係る電力管理装置において、前記データ収集部は、さらに、環境情報および前記各負荷機器のステータスを収集し、前記制御部は、前記リストの上位に表示させる前記負荷機器の前記変動量が大きい要因を前記環境情報および前記各負荷機器のステータスに基づいて解析し、解析した前記要因を前記リストに表示させるように前記表示用データを生成することが好ましい。
【００１６】
また、上記課題を解決するため、本発明に係る電力管理方法は、複数の負荷機器の消費電力データを収集するステップと、前記負荷機器毎に現時点の消費電力と所定の時間前の消費電力との差分である変動量を算出するステップと、前記負荷機器毎の前記消費電力データおよび前記変動量をリストで表示させるための表示用データを生成するステップとを含むことを特徴とする。
【００１７】
また、上記課題を解決するため、本発明に係る電力管理プログラムは、複数の負荷機器の消費電力データを収集して管理する装置の制御部に、各負荷機器の消費電力データを収集する工程と、前記負荷機器毎に現時点の消費電力と所定の時間前の消費電力との差分である変動量を算出する工程と、前記負荷機器毎の前記消費電力データおよび前記変動量をリストで表示させるための表示用データを生成する工程とを実行させることを特徴とする。
【発明の効果】
【００１８】
本発明によれば、直近に消費電力が大きく変動した負荷機器、および、その変動量を即座に把握することができる。
【図面の簡単な説明】
【００１９】
【図１】本発明の一実施形態に係る電力管理装置を含む電力管理システムの概略構成を示す図である。
【図２】図１におけるＬＡＮに存在する機器の機能ブロック図である。
【図３】通常時における消費電力リストの一例である。
【図４】消費電力変動が大きい負荷機器がある場合における消費電力リストの一例である。
【図５】消費電力リストに消費電力変動の要因を示すメッセージを併せて表示させた場合の一例である。
【図６】消費電力リストの上位に表示された負荷機器に、消費電力履歴のグラフへのリンクを設定した様子を示す図である。
【図７】図６において消費電力履歴のグラフへのリンクをクリックしてグラフを表示させた様子を示す図である。
【図８】本発明の一実施形態に係る電力管理装置の動作を示すフローチャートである。
【発明を実施するための形態】
【００２０】
以下、本発明に係る実施形態について、図面を参照して説明する。
【００２１】
まず、本発明の一実施形態に係る電力管理装置を有する電力管理システムについて説明する。図１は、本発明の一実施形態に係る電力管理装置を含む電力管理システムの概略構成を示す図である。
【００２２】
図１に示すように、電力管理システム１０は、インターネット１１、複数の電力制御装置１２、複数のユーザ端末１３、および電力管理装置１４を有する。
【００２３】
インターネット１１は、複数の電力制御装置１２、複数のユーザ端末１３、および電力管理装置１４を接続し、データおよび制御指示などの信号を通信する。なお、ＬＡＮ（Local Area Network）１５が、例えば、複数の店舗それぞれに対して構築され、各ＬＡＮ１５に少なくとも一つの電力制御装置１２および少なくとも一つのユーザ端末１３が存在する。なお、同一のＬＡＮ１５内に存在する電力制御装置１２とユーザ端末１３とが直接、通信することも可能である。また、電力制御装置１２とユーザ端末１３とは別の装置として示しているが、これらを一体の装置として構成してもよい。
【００２４】
電力制御装置１２は、例えばＥＭＳゲートウェイである。電力制御装置１２は、後述するセンサが検出する各負荷機器の消費電力や環境情報（温度、湿度、照度）などの測定値を、定期的に電力管理装置１４に送信する。また、電力制御装置１２は、各負荷機器から取得した負荷機器のステータスを電力管理装置１４に送信する。ここで、負荷機器のステータスとは、負荷機器の設定情報などであり、例えば、負荷機器がエアコンの場合は設定温度などの情報である。
【００２５】
ユーザ端末１３はディスプレイを有し、電力管理装置１４から取得する消費電力リストの表示用データに基づいて、負荷機器毎の消費電力などを情報として含む消費電力リストをブラウザ上などで表示する。消費電力リストの詳細については後述する。なお、ユーザ端末１３は、消費電力リストのデータのみを電力管理装置１４から受信して、表示用データはユーザ端末１３において作成してもよい。
【００２６】
電力管理装置１４は、例えばＥＭＳサーバである。電力管理装置１４は、データ収集部１６、制御部１７および記憶部１８を有する。
【００２７】
データ収集部１６は、電力制御装置１２から、ＬＡＮ１５内の複数の負荷機器の消費電力データおよびステータスを収集する。また、データ収集部１６は、電力制御装置１２から、温度、湿度および照度などの環境情報を収集する。データ収集部１６は、これらのデータを定期的に収集する。
【００２８】
制御部１７は、データ収集部１６が収集した各負荷機器の消費電力に基づいて、各負荷機器の消費電力の変動量を算出する。例えば、制御部１７は、各負荷機器について、現在の消費電力と５分前の消費電力との差分を算出することにより消費電力の変動量を算出する。なお、ここでは、「５分前の消費電力」としたが、これはあくまでも一例であり、制御部１７は、必要に応じて、各負荷機器の現時点の消費電力と所定の時間前の消費電力との間の変動量を算出する。
【００２９】
また、制御部１７は、各負荷機器の消費電力や、消費電力の変動量などのデータに基づいて、消費電力リストを作成する。消費電力リストの詳細については後述する。
【００３０】
また、制御部１７は、消費電力リストをユーザ端末１３に表示させるための表示用データを生成する。
【００３１】
記憶部１８は、データ収集部１６が収集した各負荷機器の消費電力およびステータス、ならびに、温度、湿度および照度などの環境情報を記憶する。また、記憶部１８は、後述する各負荷機器の制御優先度を記憶している。
【００３２】
次に、電力制御装置１２の動作について説明する。図２は、任意のＬＡＮ１５に存在する機器の機能ブロック図である。
【００３３】
任意のＬＡＮ１５内には、第１のセンサ２１、センサ管理部２２、第２のセンサ２３、第３のセンサ２４、複数の負荷機器２５、電力制御装置１２、およびユーザ端末１３が存在する。
【００３４】
第１のセンサ２１は、例えば電流センサ、電力センサ、温度センサ、湿度センサまたは照度センサなどの任意のセンサであって、ＬＡＮ１５内に存在する負荷機器２５の駆動状態に関する測定値を検出する。
【００３５】
センサ管理部２２は第１のセンサ２１から測定値を検出する。センサ管理部２２は例えばＺｉｇＢｅｅ（登録商標）のＳＥＰ２．０（Smart Energy Profile  ２．０）およびＥｃｈｏｎｅｔ（登録商標）あるいはＥＣＨＯＮＥＴ  Ｌｉｔｅ（登録商標）などの標準のプロトコルによって電力制御装置１２と通信する。
【００３６】
第２のセンサ２３は、例えば電流センサ、電力センサ、温度センサ、湿度センサまたは照度センサなどの任意のセンサであって、ＬＡＮ１５内に存在する負荷機器２５の駆動状態に関する測定値を検出する。また、第１のセンサ２１と異なり、第２のセンサ２３は独自のプロトコルによって電力制御装置１２と通信する。
【００３７】
第３のセンサ２４は、例えば電流センサ、電力センサ、温度センサ、湿度センサまたは照度センサなどの任意のセンサであって、ＬＡＮ１５内に存在する負荷機器２５の駆動状態に関する測定値を検出する。また、第１のセンサ２１および第２のセンサ２３と異なり、第３のセンサ２４は、例えばＳＥＰ２．０およびＥｃｈｏｎｅｔ（登録商標）あるいはＥＣＨＯＮＥＴ  Ｌｉｔｅ（登録商標）などの標準のプロトコルによって電力制御装置１２と直接通信を行う。
【００３８】
負荷機器２５は、例えばエアコン、照明、フライヤー、冷ケースなどのような、電力によって駆動される機器である。負荷機器２５は、ＳＥＰ２．０およびＥｃｈｏｎｅｔ（登録商標）あるいはＥＣＨＯＮＥＴ  Ｌｉｔｅ（登録商標）などの標準のプロトコルによって電力制御装置１２と通信する。電力制御装置１２は、例えばエアコンの設定温度などのような負荷機器２５のステータスを負荷機器２５から取得する。
【００３９】
前述のように、電力制御装置１２はセンサ管理部２２、第２のセンサ２３および第３のセンサ２４と通信可能であり、第１のセンサ２１、第２のセンサ２３および第３のセンサ２４の測定値を、定期的にインターネット１１を介して電力管理装置１４に送信する。
【００４０】
以下、電力制御装置１２から受信したデータに基づいて、電力管理装置１４が生成する消費電力リストの例について、図３〜図７を参照して説明する。
【００４１】
図３は、通常時における消費電力リストの一例である。図３に示すように、消費電力リストは、例えば、制御優先度、負荷機器名、機器タイプ、エリア、現在電力、５分前電力および変動量などの情報を含む。
【００４２】
「制御優先度」は、負荷機器２５を制御することの困難さの程度を示す指標である。図３に示す例においては、制御優先度は、１〜５の数字で表されている。図３に示す例においては、制御優先度の数字が小さい場合（例えば、１）は、制御優先度が高い、すなわち負荷機器２５を制御することが容易であることを示し、制御優先度の数字が大きい場合（例えば、５）は、制御優先度が低い、すなわち負荷機器２５を制御することが困難であることを示す。
【００４３】
例えば、図３に示す例においては、機器タイプが「エアコン」である場合は、制御優先度が「１」となっている。これは、「エアコン」は設定温度を変更することで制御できることから制御が容易であり、また、設定温度を変更しても、環境に与える影響が比較的小さいことから制御しやすいことを示している。
【００４４】
また、例えば、図３に示す例においては、機器タイプが「冷ケース」である場合は、制御優先度が「５」となっている。これは、例えば、鮮魚エリアの冷ケースは、冷房強度を弱める制御をすると鮮魚を腐らせてしまうおそれがあるため、制御するためには高度な判断が必要であり、制御することが困難であることを示している。
【００４５】
なお、制御優先度は、機器タイプが同一であっても同一の数値であるとは限らない。例えば、図３に示す例においては、「照明２」は制御優先度が２であるが、「照明１」は制御優先度が４である。これは、「照明２」は、事務所の照明であるため、照明を消すまたは弱めるなどの制御を比較的しやすいが、「照明１」は、売り場の照明であるため、照明を消すまたは弱めるなどの制御をすることが困難であることによる。
【００４６】
制御優先度の値は、負荷機器２５毎に、予め所定の値が記憶部１８に記憶されている。また、温度、湿度および照度などの環境情報に基づいて、制御部１７が制御優先度の値を更新するようにしてもよい。
【００４７】
「負荷機器名」の欄には、負荷機器２５を特定することができる名称が表示される。例えば、エアコンが３台ある場合は、どのエアコンであるかを区別することができるように、エアコン１、エアコン２、エアコン３などのように、それぞれ異なる負荷機器名がつけられている。
【００４８】
「機器タイプ」の欄には、例えば、エアコン、照明、フライヤーおよび冷ケースのように、負荷機器２５の種類を示す名称が表示される。
【００４９】
「エリア」の欄には、売り場、事務所、レジ、ベーカリーエリア、総菜エリア、鮮魚エリアおよび青果エリアなどのように、負荷機器２５が設置されている場所の情報が表示される。
【００５０】
「現在電力」の欄には、各負荷機器２５の現在の消費電力が表示される。
【００５１】
「５分前電力」の欄には、各負荷機器２５の５分前の消費電力が表示される。制御部１７は、記憶部１８に記憶されている負荷機器２５の５分前の消費電力データを読み出すことにより、消費電力リストに５分前電力の情報を含ませることができる。なお、本実施形態においては、具体的な例として「５分前電力」を例に挙げて説明しているが、「５分前」という時間はあくまで一例であり、例えば、１分前や１０分前など、現時点より任意の時間だけ前の時間の消費電力を表示させてもよい。
【００５２】
「変動量」の欄には、「現在電力」の値から、「５分前電力」の値を引いて算出した変動量の値が表示される。変動量は、制御部１７が、現在電力および５分前電力の値から算出する。
【００５３】
なお、「５分前電力」のような所定の時間前の消費電力は、複数個表示させてもよい（例えば「５分前電力」と「３時間前電力」）。この場合は、「変動量」の欄も複数個設ける。これにより、例えば、負荷機器の操作などに起因する直近の消費電力変動と、環境の変化などに起因する長期的な消費電力変動の両方を表示させて把握することが可能となる。
【００５４】
図４は、消費電力変動が大きい負荷機器がある場合における消費電力リストの一例である。
【００５５】
制御部１７は、変動量が所定の閾値よりも大きい負荷機器２５がある場合は、それらの負荷機器２５が、変動量の大きい順で消費電力リストの上位に表示されるように消費電力リストを生成する。また、制御部１７は、消費電力リストの上位に表示される負荷機器（以下「注目機器」と称する）を強調表示させるように消費電力リストを生成する。制御部１７は、例えば、背景や文字の色を変えたり、網掛けをしたりすることなどによって、注目機器の各種情報が表示される領域を強調表示する。
【００５６】
また、制御部１７は、変動量が所定の閾値よりも大きい負荷機器２５であっても、当該負荷機器２５が制御困難である場合、すなわち、記憶部１８から参照した当該負荷機器２５の制御優先度の値が、所定の閾値よりも大きい場合は、当該負荷機器２５を注目機器に含めないようにすることができる。例えば、図４に示す例において、変動量の閾値が３．０であり、制御優先度の閾値が４であるとする。この場合、フライヤー２、エアコン３、エアコン２および冷ケース２の４つの負荷機器２５について変動量が３．０よりも大きいが、冷ケース２は、制御優先度が５であるため、制御部１７は、冷ケース２については注目機器に含めないように消費電力リストを生成することができる。
【００５７】
図５は、消費電力リストに消費電力変動の要因を示すメッセージを併せて表示させた場合の一例である。
【００５８】
制御部１７は、電力管理装置１４が電力制御装置１２から受け取った、各負荷機器２５のステータス、温度、湿度および照度などの環境情報から、注目機器の変動量が大きい要因を解析する。制御部１７は、図５に示すように、解析した要因をメッセージとして消費電力リストに表示させるように表示用データを生成することができる。
【００５９】
図５に示す例においては、例えば、制御部１７は、フライヤー２の消費電力が増加した要因を、電源がＯＮにされたことと推定し、「フライヤー２の消費電力が急激に増加しました。電源がＯＮにされた可能性があります。」とのメッセージを生成している。また、制御部１７は、エアコン３の設定温度が２℃下げられたとのステータス情報を電力制御装置１２から取得し、「エアコン３の消費電力が急激に増加しました。設定温度が２℃下げられています。」とのメッセージを生成している。
【００６０】
図６は、消費電力リストの上位に表示された負荷機器に、消費電力履歴のグラフへのリンクを設定した様子を示す図である。
【００６１】
制御部１７は、記憶部１８に記憶されている注目機器の消費電力データから、消費電力の履歴を示すグラフを作成し、消費電力リストに、当該グラフを表示させるためのリンクを設定することができる。図６に示す例においては、注目機器について、負荷機器名の欄に消費電力の履歴を示すグラフへのリンクを設定している。
【００６２】
図７は、図６に示す例において、「フライヤー２」に設定されたリンクをクリックして、「フライヤー２」の消費電力の履歴を示すグラフを表示させた場合の一例である。表示されるグラフは、横軸が時間、縦軸が消費電力であり、ユーザは当該グラフを見ることによって、直近の消費電力の履歴を把握することができる。
【００６３】
図８に示すフローチャートを参照しながら、本発明の一実施形態に係る電力管理装置の動作を説明する。
【００６４】
制御部１７は、あるＬＡＮ１５内の全ての負荷機器２５について、後述するステップＳ１０１〜Ｓ１１０までの処理を実行する。
【００６５】
制御部１７は、電力制御装置１２から負荷機器２５の消費電力を取得して、記憶部１８に記憶する（ステップＳ１０１）。
【００６６】
制御部１７は、負荷機器２５の現在の消費電力と５分前の消費電力との間の変動量を算出する（ステップＳ１０２）。
【００６７】
制御部１７は、負荷機器２５の現在の消費電力と５分前の消費電力との間の変動量が所定の閾値より大きいか否かを判定する（ステップＳ１０３）。制御部１７は、ステップＳ１０３にてＮｏと判定した場合は、当該負荷機器２５についてのステップＳ１０４〜Ｓ１１０までの処理は実施せず、他の負荷機器２５について、再び、ステップＳ１０１から処理を開始する。
【００６８】
制御部１７は、ステップＳ１０３にてＹｅｓと判定した場合は、さらに、負荷機器２５が、制御が困難な負荷機器（制御優先度が低い負荷機器）であるか否かを判定する（ステップＳ１０４）。制御部１７は、ステップＳ１０３にてＹｅｓと判定した場合は、当該負荷機器２５についてのステップＳ１０５〜Ｓ１１０までの処理は実施せず、他の負荷機器２５について、再び、ステップＳ１０１から処理を開始する。
【００６９】
制御部１７は、ステップＳ１０４にてＮｏと判定した場合は、当該負荷機器を注目機器として抽出する（ステップＳ１０５）。
【００７０】
制御部１７は、電力制御装置１２から、当該負荷機器２５のステータス情報を取得する（ステップＳ１０６）。
【００７１】
制御部１７は、電力制御装置１２から、温度、湿度や照度などの環境情報を取得する（ステップＳ１０７）。
【００７２】
制御部１７は、取得した負荷機器２５のステータス情報や、温度、湿度や照度などの環境情報に基づいて、消費電力変動の要因を解析する（ステップＳ１０８）。
【００７３】
制御部１７は、解析した消費電力変動の要因を表示するためのメッセージを生成する（ステップＳ１０９）。
【００７４】
制御部１７は、記憶部１８に記憶されている消費電力データに基づいて、消費電力の変動を示すグラフを生成し、当該グラフを表示するためのリンク先情報も生成する（ステップＳ１１０）。
【００７５】
制御部１７は、ＬＡＮ１５内の全ての負荷機器２５について、ステップＳ１０１〜Ｓ１１０までの処理が終了すると、消費電力の変動量の大きさに基づいて、注目機器の表示順を決定する。制御部１７は、消費電力の変動量が大きい方から順に、消費電力リストの上位に表示させるように表示順を決定する（ステップＳ１１１）。
【００７６】
制御部１７は、消費電力リストの表示用のデータを生成する（ステップＳ１１２）。
【００７７】
このように、本実施形態によれば、電力管理装置１４が、各負荷機器２５について、現時点の消費電力と所定の時間前の消費電力との間の変動量を算出し、当該変動量を含む消費電力リストを表示させるための表示用データを生成することにより、ユーザが、直近に消費電力が大きく変動した負荷機器、および、その変動量を即座に把握することができる。
【００７８】
また、電力管理装置１４が、直近の消費電力の変動量が大きい負荷機器を、消費電力リストの上位に表示させるように表示用データを生成することにより、ユーザは、直近に消費電力が大きく変動した負荷機器、および、その変動量をさらに容易に把握することができる。
【００７９】
また、電力管理装置１４が、消費電力リストの上位に表示される注目機器を強調表示させるように表示用データを生成することにより、ユーザは、直近に消費電力が大きく変動した負荷機器、および、その変動量をさらに容易に把握することができる。
【００８０】
また、電力管理装置１４が、消費電力リストの上位に表示される注目機器の消費電力履歴のグラフへのリンクを設定することにより、ユーザは、直近に消費電力が大きく変動した負荷機器の消費電力履歴を把握することができる。
【００８１】
また、電力管理装置１４が、制御が困難な負荷機器（制御優先度が低い負荷機器）を、消費電力リストの上位に表示させないように表示用データを生成することにより、ユーザは、直近に消費電力が大きく変動した負荷機器のうち、制御が容易な負荷機器のみを即座に把握することができる。
【００８２】
また、電力管理装置１４が、環境情報および各負荷機器のステータスなどに基づいて、変動量が大きい要因を解析して、解析した要因を表示するメッセージを表示するように表示用データを生成することにより、ユーザは、直近に消費電力が大きく変動した負荷機器について、変動量が大きい要因を把握することができる。
【００８３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００８４】
１０  電力管理システム
１１  インターネット
１２  電力制御装置
１３  ユーザ端末
１４  電力管理装置
１５  ＬＡＮ
１６  データ収集部
１７  制御部
１８  記憶部
２１  第１のセンサ
２２  センサ管理部
２３  第２のセンサ
２４  第３のセンサ
２５  負荷機器
【図１】
2015001913.tif 000003
【図２】
2015001913.tif 000004
【図３】
2015001913.tif 000005
【図４】
2015001913.tif 000006
【図５】
2015001913.tif 000007
【図６】
2015001913.tif 000008
【図７】
2015001913.tif 000009
【図８】
2015001913.tif 000010